(57)【要約】【課題】パームによる誤操作を防止することができるとともに、指先による正規の操作を阻害しにくくすることができるタッチパッド入力装置およびタッチパッド制御プログラムを提供すること。【解決手段】操作面に対する物体の近接状態に応じて出力される電気的変量に基づき検出された前記物体の接触位置に基づき前記操作面に対するタッチ操作を認識するとともに、キーボード操作状況に基づき前記タッチ操作を有効または無効にする制御部６を備え、制御部６は、キーボード操作中またはキーボード操作後の所定時間内にタッチ操作があったとき、タッチ操作があった領域をタッチ操作無効領域にするとともにタッチ操作がなかった領域をタッチ操作有効領域にする。【選択図】図５
2015141426.tif 000002
【特許請求の範囲】
【請求項１】
操作面に対する物体の近接状態に応じて出力される電気的変量に基づき検出された前記物体の接触位置に基づき前記操作面に対するタッチ操作を認識するとともに、キーボード操作状況に基づき前記タッチ操作を有効または無効にする制御部を備えたタッチパッド入力装置であって、
前記制御部は、キーボード操作中またはキーボード操作後の所定時間内にタッチ操作があったとき、タッチ操作があった領域をタッチ操作無効領域にするとともに前記タッチ操作がなかった領域をタッチ操作有効領域にすることを特徴とするタッチパッド入力装置。
【請求項２】
前記制御部は、前記タッチ操作が継続されているときは前記タッチ操作があった領域を継続してタッチ操作無効領域とし、前記タッチ操作が継続されなかったときは前記タッチ操作があった領域をタッチ操作有効領域とすることを特徴とする請求項１記載のタッチパッド入力装置。
【請求項３】
操作面に対する物体の近接状態に応じて出力される電気的変量に基づき検出された前記物体の接触位置に基づき前記操作面に対するタッチ操作を認識するとともに、キーボード操作状況に基づき前記タッチ操作を有効または無効にするタッチパッド制御プログラムであって、
キーボード操作中またはキーボード操作後の所定時間内にタッチ操作があったとき、タッチ操作があった領域をタッチ操作無効領域にするとともに前記タッチ操作がなかった領域をタッチ操作有効領域にすることを特徴とするタッチパッド制御プログラム。
【請求項４】
前記タッチ操作が継続されているときは前記タッチ操作があった領域を継続してタッチ操作無効領域とし、前記タッチ操作が継続されなかったときは前記タッチ操作があった領域をタッチ操作有効領域とすることを特徴とする請求項３記載のタッチパッド制御プログラム。
【発明の詳細な説明】
【技術分野】
【０００１】
本発明は、ノートＰＣ等に搭載されるタッチパッド入力装置およびタッチパッド制御プログラムに関するものである。
【背景技術】
【０００２】
ノートＰＣ等に設けられるタッチパッド入力装置は近年大型化する傾向があり、キーボードを操作するときにパーム（掌）が接触しやすくなり、誤操作しやすくなる。そのため、その誤操作を防止するものとして、キーボード操作中またはキーボードを操作してからしばらくの間はタッチパッドの操作を無効とする誤操作防止機能が検討されている。
【０００３】
特許文献１に、キーボード操作中およびキーボードを操作してからしばらくの間はタッチパッドの操作を無効とする誤操作防止機能が開示されている。これによれば、パームによる誤操作を防止することができる。しかし、キーボード操作直後は指先による正規の操作も受け付けないこととなり、指先による正規の操作が阻害されてしまうことがある、という問題があった。
【先行技術文献】
【特許文献】
【０００４】
【特許文献１】特開平１０−７８８５０号公報
【発明の概要】
【発明が解決しようとする課題】
【０００５】
本発明は、上述した問題を解決して、パームによる誤操作を防止することができるとともに、指先による正規の操作を阻害しにくくすることができるタッチパッド入力装置およびタッチパッド制御プログラムを提供することを目的とする。
【課題を解決するための手段】
【０００６】
請求項１に記載のタッチパッド入力装置においては、操作面に対する物体の近接状態に応じて出力される電気的変量に基づき検出された前記物体の接触位置に基づき前記操作面に対するタッチ操作を認識するとともに、キーボード操作状況に基づき前記タッチ操作を有効または無効にする制御部を備え、前記制御部は、キーボード操作中またはキーボード操作後の所定時間内にタッチ操作があったとき、タッチ操作があった領域をタッチ操作無効領域にするとともに前記タッチ操作がなかった領域をタッチ操作有効領域にする、という特徴を有する。
【０００７】
請求項１のタッチパッドによれば、キーボード操作中およびキーボード操作後のパームの接触位置は一般的に操作面の両側方であって大きく移動しないので、その領域をタッチ操作無効領域とすればパームによる誤操作を防止することができる。一方正規の操作を行なうときの指先の接触位置は一般的に操作面の中心付近であるので、タッチ操作がなかったその領域をタッチ操作有効領域とすれば指先による正規の操作を阻害しにくくすることができる。
【０００８】
請求項２に記載のタッチパッド入力装置においては、前記制御部は、前記タッチ操作が継続されているときは前記タッチ操作があった領域を継続してタッチ操作無効領域とし、前記タッチ操作が継続されなかったときは前記タッチ操作があった領域をタッチ操作有効領域とする、という特徴を有する。
【０００９】
請求項２のタッチパッド入力装置によれば、パームが離れたあとは、パームがあった領域もタッチ操作有効領域となる。そのため、指先による正規の操作を支障なく行なうことができる。
【００１０】
請求項３に記載のタッチパッド制御プログラムにおいては、操作面に対する物体の近接状態に応じて出力される電気的変量に基づき検出された前記物体の接触位置に基づき前記操作面に対するタッチ操作を認識するとともに、キーボード操作状況に基づき前記タッチ操作を有効または無効にし、キーボード操作中またはキーボード操作後の所定時間内にタッチ操作があったとき、タッチ操作があった領域をタッチ操作無効領域にするとともに前記タッチ操作がなかった領域をタッチ操作有効領域にする、という特徴を有する。
【００１１】
請求項４に記載のタッチパッド制御プログラムにおいては、前記タッチ操作が継続されているときは前記タッチ操作があった領域を継続してタッチ操作無効領域とし、前記タッチ操作が継続されなかったときは前記タッチ操作があった領域をタッチ操作有効領域とする、という特徴を有する。
【発明の効果】
【００１２】
本発明によれば、キーボード操作中およびキーボード操作後のパームの接触位置は一般的に操作面の両側方であって大きく移動しないので、その領域をタッチ操作無効領域とすればパームによる誤操作を防止することができる。一方正規の操作を行なうときの指先の接触位置は一般的に操作面の中心付近であるので、タッチ操作がなかった領域をタッチ操作有効領域とすれば指先による正規の操作を阻害しにくくすることができる。
【図面の簡単な説明】
【００１３】
【図１】本実施形態におけるタッチパッド２およびキーボード１０がノートＰＣに搭載された状態を示す図である。
【図２】本実施形態におけるタッチパッド入力装置１およびキーボード１０のシステム構成図である。
【図３】本実施形態における制御部６のフローチャートである。
【図４】ステップＳ２の説明図である。
【図５】ステップＳ１０の説明図である。
【図６】変形例を示す図である。
【発明を実施するための形態】
【００１４】
図１から図５を用いて本実施形態のタッチパッド入力装置１を説明する。図１は、タッチパッド２およびキーボード１０がノートＰＣに搭載された状態を示す図である。タッチパッド２は、キーボード１０の手前のパームレスト部分の中央に取り付けられている。タッチパッド２は、タッチパッド入力装置１を構成する要素の1つであり、プリント基板、プリント基板上に敷設された電極、電極の上側に貼り付けられた表面シート等から構成される。
【００１５】
図２は、タッチパッド入力装置１およびキーボード１０のシステム構成図である。タッチパッド入力装置１は、タッチパッド２と、複数の配線を介してタッチパッド２と接続されＡＳＩＣ等からなる位置検出部５と、位置検出部５と接続される制御部６から構成される。タッチパッド２は、プリント基板と、プリント基板上に横方向に延設された複数の検出電極３と、検出電極３の上側に絶縁層を介して縦方向に延設された複数の駆動電極４と、駆動電極４の上側に貼り付けられた表面シートから構成され、表面シートの上面が操作面となる。位置検出部５は、駆動電極４への電圧印加状況および検出電極３の電圧検出状況に基づき電極間の静電容量の変化を検知して、指等の物体の接触位置を検出し、その位置信号を生成して制御部６に送信する。制御部６は、ノートＰＣの演算装置や記憶装置に該当するものであり、位置検出部５から位置信号を受信して操作面に対するタッチ操作を認識するものであり、本実施形態における制御プログラムを記憶するとともに本実施形態における制御動作を実行するものである。
【００１６】
図３は、本実施形態における制御部６の制御動作を示すフローチャートである。図４は、図３のフローチャートにおけるステップＳ２のときに設定されるタッチ操作無効領域を説明する図である。図５は、図３のフローチャートにおけるステップＳ１０のときに設定されるタッチ操作無効領域を説明する図である。図３〜図５を用いて、本実施形態におけるタッチパッド入力装置１の動作を説明する。
【００１７】
最初にステップＳ１にて、キー入力があったかどうかを判断する。キー入力があったと判断した場合はステップＳ２に進む。
【００１８】
次にステップＳ２にて、図４に示すように操作面全面をタッチ操作無効領域Ａとして登録する。
【００１９】
次にステップＳ３にて、キー入力検出時刻を保存する。
【００２０】
次にステップＳ４にて、タッチ操作無効領域の登録があるかどうかを判定する。操作無効領域の登録があればステップＳ５に進む。
【００２１】
次にステップＳ５にて、タッチ操作無効領域上にある物体を無視し、スタートに戻る。ステップＳ１からステップＳ５までの処理を行なえば、キー入力中に誤ってパームがタッチパッド２に触れてしまっても、パームの接触によりタッチパッド入力装置１が意図しない動作をしてしまうことを防止することができる。
【００２２】
ステップＳ１にて、キー入力がないと判定された場合には、ステップＳ６に進む。
【００２３】
次にステップＳ６にて、最後のキー入力から所定時間経過したかどうか判断する。所定時間経過していないと判断した場合には、ステップＳ４に進む。このようなステップを設けることにより、キー入力中のみならずキー入力が終わってからしばらくの間は誤操作を防止できるようになっている。
【００２４】
ステップＳ６にて、所定時間経過したと判断した場合には、ステップＳ７に進む。
【００２５】
次にステップＳ７にて、操作面上に物体があるかどうか判断する。操作面上に物体があると判断した場合にはステップＳ８に進む。
【００２６】
次にステップＳ８にて、所定時間の経過が初回であるかどうか判断する。所定時間の経過が初回であると判断した場合にはステップＳ９に進む。
【００２７】
次にステップＳ９にて、操作面上の物体の位置情報を保存し、ステップ１０に進む。
【００２８】
次にステップＳ１０にて、図５に示すように操作面上のパーム等の物体の接触領域Ｐ１および周辺領域Ｒ１をタッチ操作無効領域Ａ１とし、ステップ４に進む。ここで、その他の領域は、タッチ操作無効領域とせず、タッチ操作有効領域Ｂとする。このステップＳ１０が本発明の特徴的動作である。なお、図５では周辺領域Ｒ１は矩形であるが、これに限られるものでなく、図６に示すように例えば接触領域Ｐ１を拡大したような形でもよい。また、図５では、パーム等の物体の接触領域が１つのみ記載されているが、図６に示すように複数ある場合にはそれぞれについて同じ処理を行なうようにしてもよい。
【００２９】
図５に示すように、キーボード操作中およびキーボード操作後のパームの接触位置は一般的に操作面の両側方であって大きく移動しないので、その領域をタッチ操作無効領域Ａ１およびＡ２とすればパームによる誤操作を防止することができる。一方正規の操作を行なうときの指先Ｆの接触位置は一般的に操作面の中心付近であるので、タッチ操作がなかった領域をタッチ操作有効領域Ｂとすれば指先による正規の操作を阻害しにくくすることができる。
【００３０】
ステップＳ８にて、所定時間の経過が初回でないと判断した場合にはステップＳ１１に進む。
【００３１】
次に、ステップＳ１１にて、ステップＳ９で見つけた物体がまだ操作面上にあるかどうかを判断する。ステップＳ９で見つけた物体がまだ操作面上にある場合にはステップＳ１２に進む。
【００３２】
次にステップＳ１２にて、まだ操作面上にある物体の接触領域および周辺領域をタッチ操作無効領域とし、ステップＳ４に進む。ステップＳ１１およびステップＳ１２の動作を行なうことにより、タッチ操作が継続されているときはタッチ操作があった領域およびその周辺領域を継続してタッチ操作無効領域とし、パームによる誤操作を防止している。
【００３３】
ステップＳ１１にて、ステップＳ９で見つけた物体がもう操作面上にない場合には、ステップＳ１３に進む。
【００３４】
次にステップＳ１３にて、操作無効領域の登録情報をクリアしてステップＳ４に進む。ステップＳ１１およびステップＳ１３の動作を行なうことにより、タッチ操作が継続されなかったときはそのタッチ操作があった領域およびその周辺領域をタッチ操作有効領域にするようにしている。これによれば全面がタッチ操作有効領域となり、指先による正規の操作を支障なく行なうことができる。
【００３５】
このように本実施形態のタッチパッド入力装置１においては、操作面に対する物体の近接状態に応じて出力される電気的変量に基づき検出された物体の接触位置に基づき操作面に対するタッチ操作を認識するとともに、キーボード操作状況に基づきタッチ操作を有効または無効にする制御部６を備え、制御部６は、キーボード操作中またはキーボード操作後の所定時間内にタッチ操作があったとき、タッチ操作があった領域Ｆ１、Ｆ２および周辺領域Ｒ１、Ｒ２をタッチ操作無効領域Ａ１、Ａ２にするとともにタッチ操作がなかった領域をタッチ操作有効領域Ｂにするようにした。
【００３６】
これによれば、キーボード操作中およびキーボード操作後のパームの接触位置は一般的に操作面の両側方であって大きく移動しないので、その領域をタッチ操作無効領域Ａ１およびＡ２とすればパームによる誤操作を防止することができる。一方正規の操作を行なうときの指先Ｆの接触位置は一般的に操作面の中心付近であるので、タッチ操作がなかった領域をタッチ操作有効領域Ｂとすれば指先による正規の操作を阻害しにくくすることができる。
【００３７】
また、本実施形態のタッチパッド入力装置１においては、制御部６は、タッチ操作が継続されているときはタッチ操作があった領域およびその周辺領域を継続してタッチ操作無効領域とし、タッチ操作が継続されなかったときはそのタッチ操作があった領域およびその周辺領域をタッチ操作有効領域にする、という特徴を有する。
【００３８】
これによれば、パームが離れたあとは、パームがあった領域もタッチ操作有効領域となる。そのため、指先による正規の操作を支障なく行なうことができる。
【００３９】
なお、本発明は上述した実施形態に限定されるものではなく、本発明の主旨を逸脱しない範囲で種々の変形を加えて実施することができるのは言うまでもない。本実施例では、物体の接触領域およびその接触領域の周辺領域を操作無効領域としたが、それに限らず、物体の接触領域と、タッチパッド２の両側方に固定的に設定された所定領域が操作無効領域となるようなものでもよい。また、接触した物体がパームではなく指であると判断できる場合には操作無効領域を設定しないようにしてもよい。
【符号の説明】
【００４０】
１    タッチパッド入力装置
２    タッチパッド
３    検出電極
４    駆動電極
５    位置検出部
６    制御部
１０  キーボード
Ａ    タッチ操作無効領域
Ａ１  タッチ操作無効領域
Ａ２  タッチ操作無効領域
Ｂ    タッチ操作有効領域
Ｐ１  接触領域
Ｐ２  接触領域
Ｒ１  周辺領域
Ｒ２  周辺領域
Ｆ    指
【図１】
2015141426.tif 000003
【図２】
2015141426.tif 000004
【図３】
2015141426.tif 000005
【図４】
2015141426.tif 000006
【図５】
2015141426.tif 000007
【図６】
2015141426.tif 000008